(57)【要約】【課題】複製、改ざんの防止可能な電子チケットシステムを提供する。【解決手段】電子チケット管理装置は、ユーザ携帯端末装置にアプリを送信し、ユーザに選択されたチケットに対応する電子チケット情報を生成し、生成した電子チケット情報をユーザ携帯端末装置に送信し、一つのユーザ携帯端末装置から他のユーザ携帯端末装置への電子チケット情報の転送要求を受け取り、この他のユーザ携帯端末装置に転送要求にかかる電子チケット情報を送信する。ユーザ携帯端末装置は、電子チケット管理装置からアプリを受け取り、電子チケット管理装置から電子チケット情報を受け取り、前記アプリに排他的に割り当てられた記憶領域に電子チケット情報を格納し、電子チケット情報を電子チケットチェック装置に提供する。【選択図】　　図２
2004030063.tif 000002
【特許請求の範囲】
【請求項１】
所定のアプリケーションのデータを送信するステップと、
チケットに対応する電子チケット情報を生成し、これを送信するステップと、前記アプリケーションに排他的に割り当てられた記憶領域にこの電子チケット情報を格納するステップと、
前記所定のアプリケーションによって前記記憶領域に格納された電子チケット情報の提供を行うステップと、
を有する電子チケット取扱方法によって扱われる電子チケットを転送する方法において、
前記記憶領域に格納された電子チケット情報を転送元から受信するステップと、
前記受け取った電子チケット情報を保持するステップと、
前記保持した電子チケット情報を転送先へ送信するステップと、
を有することを特徴とする電子チケットを転送する方法。
【請求項２】
電子チケット情報を取扱うアプリケーションに排他的に割り当てられた記憶領域に格納された電子チケット情報を転送元から転送先へ転送するための、電子チケットを転送するための方法において、
前記アプリケーションによって前記記憶領域に格納された電子チケット情報を送信するステップと、
前記送信された電子チケット情報を保持するステップと、
前記保持した電子チケット情報を転送先へ送信するステップと、
前記ステップにおいて送信された電子チケット情報を受信し、これを転送先が有する、アプリケーションに排他的に割り当てられた記憶領域に格納するステップと
を有することを特徴とする電子チケットを転送する方法。
【請求項３】
第１のユーザ携帯端末装置から第２のユーザ携帯端末装置へ電子チケット情報を転送することが可能な電子チケット管理装置において、
電子チケット情報を転送するための電子チケット情報転送部と、
第１のユーザ携帯端末装置から受け取った電子チケット情報を記憶する転送データベース部とを有し、
前記電子チケット情報転送部は、前記記憶された電子チケット情報を変更することなく第２のユーザ携帯端末装置へ送信する
ことを特徴とする電子チケット管理装置。
【請求項４】
請求項３に記載の電子チケット管理装置において、
前記電子チケット情報はユーザ携帯端末装置を識別する情報を含まない
ことを特徴とする電子チケット管理装置。
【請求項５】
所定のアプリケーションに排他的に割り当てられる記憶領域を有する記憶部と、
電子チケット情報を受け取り、前記記憶領域にこの電子チケット情報を格納し、この電子チケット情報を提供する電子チケット管理部と
を有することを特徴とするユーザ携帯端末装置。
【請求項６】
請求項５に記載のユーザ携帯端末装置において、
前記ユーザ携帯端末装置は、さらに表示部を有しており
前記電子チケット情報は、画像データを含まず、
前記電子チケット管理部は、電子チケット情報を所定の画像データに変換して表示部に表示させる
ことを特徴とするユーザ携帯端末装置。
【請求項７】
請求項５に記載のユーザ携帯端末装置において、
前記電子チケット管理部は、他のユーザ携帯端末装置に電子チケット情報を転送する場合、前記記憶領域から転送する電子チケット情報を取得し、これを送信する
ことを特徴とするユーザ携帯端末装置。
【請求項８】
請求項７に記載のユーザ携帯端末装置において、
前記電子チケット情報はユーザ携帯端末装置を識別する情報を含まない
ことを特徴とするユーザ携帯端末装置。
【請求項９】
電子チケット情報を第１のユーザ携帯端末装置から第２のユーザ携帯端末装置へ転送する方法において、
第１及び第２のユーザ携帯端末装置に所定のアプリケーションを送信するステップと、
第１のユーザ携帯端末装置から電子チケット情報を受信するステップと、
前記受信した電子チケット情報を記憶するステップと、
前記記憶した電子チケット情報を第２のユーザ携帯端末装置に送信するステップと
を有し、
前記電子チケット情報は第１及び第２のユーザ携帯端末装置の有する前記所定のアプリケーションに排他的割り当てられた記憶領域に格納されるデータであることを特徴とする方法。
【請求項１０】
請求項９に記載の方法において、
前記電子チケット情報はユーザ携帯端末装置を識別する情報を含まない
ことを特徴とする方法。
【請求項１１】
所定のアプリケーションを受信するステップと、
電子チケット情報を受け取り、これを前記所定のアプリケーションに排他的に割り当てられた記憶領域に格納するステップと、
前記記憶領域に格納された電子チケット情報を電子チケットチェック装置に提供するステップと
を有することを特徴とする電子チケットを扱う方法。
【請求項１２】
請求項１１に記載の方法において、
前記方法はさらに、その電子チケット情報を前記記憶領域から削除するステップをさらに有することを特徴とする方法。
【請求項１３】
請求項１１に記載の方法において、
前記提供するステップにおいて、前記電子チケット情報は画像データに変換された後、電子チケットチェック装置に提供される
ことを特徴とする方法。
【請求項１４】
所定のアプリケーションを受信するステップと、
電子チケット情報を受け取り、これを前記所定のアプリケーションに排他的に割り当てられた記憶領域に格納するステップと、
前記記憶領域に格納された電子チケット情報を転送先のユーザ携帯端末装置を示す情報と共に電子チケット管理装置に送信するステップと、
を有することを特徴とする電子チケット情報を転送する方法。
【請求項１５】
請求項１４に記載の方法において、
前記電子チケット情報はユーザ携帯端末装置を識別する情報を含まない
ことを特徴とする方法。
【請求項１６】
請求項３若しくは４に記載の電子チケット管理装置としてコンピュータを機能せしめるためのプログラム。
【請求項１７】
請求項５から８のいずれかに記載のユーザ携帯端末装置にとしてコンピュータを機能せしめるためのプログラム。
【請求項１８】
請求項１，請求項２、請求項９、請求項１０のいずれかに記載の方法をコンピュータに実行させるためのプログラム。
【請求項１９】
請求項１１から１５のいずれかに記載の方法をユーザ携帯端末装置に実行させるための、ユーザ携帯端末装置にダウンロード可能なプログラム。
【請求項２０】
請求項１６から請求項１９のいずれかに記載のプログラムを格納した、コンピュータ読み取り可能なプログラム記録媒体。
【発明の詳細な説明】
【０００１】
【発明の属する技術分野】
本発明は、電子チケットを転送する方法、電子チケット管理装置、ユーザ携帯端末装置、電子チケットを扱う方法、これらのためのプログラム、並びにプログラム記録媒体に関する。
【０００２】
【従来の技術】
通信技術の発展に伴う携帯電話の普及により、携帯電話を用いた様々なビジネスが検討されるようになっている。携帯電話を用いたビジネスの一態様として携帯電話機にチケットに相当するデータ（チケット情報）を送信し、このチケット情報を有する携帯電話機をチケットとして扱い、入場口などでそのデータを読みとってチケット情報の正否を調べるという、いわゆるチケットレスシステムを構築しようとする提案がなされており、このような提案がたとえば特開２００１−２８３１１７号公報、特開２００２−１４９８８９号公報に記述されている。　前記データは、バーコードのような画像データとして携帯電話機に送信され、格納される。携帯電話機は受け取った画像データを表示し、表示された画像データをバーコードリーダのような光学的読取装置により読みとってチケット情報の正否を調べることが行われている。
【０００３】
【発明が解決しようとする課題】
上記のようなチケットレスシステムにおいて、チケット情報として画像データをユーザ携帯端末装置である携帯電話機に送信する場合には、送信する情報量に比べて画像データのデータ量が大きく、送信に際して必要以上に通信リソースを消費してしまうというおそれがある。
【０００４】
また、携帯電話機に送られた画像データは、ユーザが自由に転送、複写、加工できる状態となるので、転送、複写、加工によるチケットの不当・不正な複製、転売を防ぐ手段を講じる必要がある。このような手段として、チケット情報を暗号化したり、携帯電話機の識別番号と関連づけてチケット情報を構成する方法が考えられるが、チケット情報の生成に際して複雑な手順が必要となる問題があった。
【０００５】
また、チケット情報を暗号化したり、携帯電話機の識別番号と関連づけて構成する場合は、チケット情報の正当な転送を行いたい場合、例えば臨時の理由によりイベント会場へ行けなくなったときや、電子チケットを友人などにプレゼントとして送りたい、というような事情の場合に、チケット情報を再度暗号化したり転送先に適合するように再生成する必要が生じ、簡易な転送処理を行うことが難しいという問題もある。
【０００６】
【課題を解決するための手段】
本発明は、上記問題を解決することを目的としてなされたものであり、上記問題を解決するための手段として、以下のような特徴を有する。
【０００７】
本発明の第１の態様は、通信網に接続された電子チケット管理装置と、通信網を介して電子チケット管理装置に接続可能なユーザ携帯端末装置と、ユーザ携帯端末装置から電子チケット情報の提供を受け、その電子チケット情報の判定を行う電子チケットチェック装置とを有する電子チケットシステムに関する。
【０００８】
この電子チケット管理装置は、ユーザ携帯端末装置からの要求に応じて所定のアプリケーション（例えばＪａｖａ（登録商標）やｉアプリ（商標）など、ユーザ携帯端末装置がダウンロードすることが可能なプログラム。以下、「アプリ」という）のデータを送信する。
【０００９】
ユーザ携帯端末装置からの要求に応じてユーザが購入可能なチケットの一覧情報を提供し、ユーザに選択されたチケットに対応する電子チケット情報を生成し、生成した電子チケット情報をユーザ携帯端末装置に送信する。電子チケット情報はユーザが適法に入場する権利を有することを示す情報である。
【００１０】
ある一つのユーザ携帯端末装置から他のユーザ携帯端末装置への電子チケット情報の転送要求を受け取り、この他のユーザ携帯端末装置に転送要求にかかる電子チケット情報を送信する。
【００１１】
ユーザ携帯端末装置は、電子チケット管理装置からアプリを受け取り、このアプリを実行することにより、電子チケット管理装置にチケットの購入申込要求を送信する。この購入申込要求に応じて電子チケット管理装置は、電子チケット情報を生成して送り返す。ユーザ携帯端末装置はこの電子チケット情報を受け取り、前記アプリケーションに排他的に割り当てられた記憶領域にこの電子チケット情報を格納する。「排他的に割り当てられた記憶領域」とは、前記アプリ以外のいかなるアプリケーションによってもその記憶領域に格納されたデータにアクセスすることが認められない記憶領域であることをいうものとする。
【００１２】
ユーザ携帯端末装置は、入場などに際してこの電子チケット情報を電子チケットチェック装置に提供し、電子チケット情報のチェックを受ける。
【００１３】
電子チケットチェック装置は、ユーザ携帯端末装置から電子チケット情報の提供を受け、この電子チケット情報と、電子チケット管理装置により発行された電子チケット情報とを比較し、その電子チケット情報について判定を行う。
【００１４】
電子チケット情報の提供方法は、電子チケット情報を画像データに変換して光学的に読みとる方法もあり、あるいは近距離通信手段により電子チケット情報をそのまま送信する方法も使用できる。
【００１５】
本発明の第２の態様は、所定のアプリケーションのデータを送信するステップと、チケットに対応する電子チケット情報を生成し、これを送信するステップと、前記アプリケーションに排他的に割り当てられた記憶領域にこの電子チケット情報を格納するステップと、前記所定のアプリケーションによって前記記憶領域に格納された電子チケット情報の提供を行うステップとを有する電子チケット取扱方法によって扱われる電子チケットを転送する方法に関するものである。
【００１６】
本態様にかかる電子チケットを転送する方法は、たとえば前述の電子チケット管理装置などにより、記憶領域に格納された電子チケット情報を転送元であるユーザ携帯端末装置から受信する。この記憶領域に格納された電子チケット情報の送信は、前記アプリケーションによってのみ行われ、その送信先は前記アプリケーションに規定された送信先（例えば、前述の電子チケット管理装置）のみに限られ，その他の送信先に送られることはない。
【００１７】
次に、この受け取った電子チケット情報を保持しておき、転送先であるユーザ携帯端末装置に電子チケット情報を送信することに備える。次に、前記保持した電子チケット情報を所定のタイミング、たとえば転送先であるユーザ携帯端末装置が電子チケット情報を保持する電子チケット管理装置にアクセスした場合等に、転送先へ送信する。
【００１８】
なお、本方法において電子チケット情報の送信に、ＳＳＬ（Ｓｅｃｕｒｅ　Ｓｏｃｋｅｔ　ｌａｙｅｒ）などの暗号方式を適用することにより、転送中における電子チケット情報の盗み見などに抗することが可能な、より安全な電子チケットを転送する方法を提供することも可能である。
【００１９】
本発明の第３の態様は、電子チケット情報を取扱うアプリケーションに排他的に割り当てられた記憶領域に格納された電子チケット情報を転送元から転送先へ転送するための、電子チケットの転送方法に関するものである。
【００２０】
本方法によって転送される電子チケット情報は、あらかじめ電子チケットの販売先からユーザ携帯端末装置などに提供されており、ユーザ携帯端末装置の前記記憶領域内に前記アプリケーションによって格納されている。
【００２１】
この電子チケットの転送方法では、まず前記アプリケーションによって前記記憶領域に格納された電子チケット情報を送信する。この記憶領域に格納された電子チケット情報の送信は、前記アプリケーションによってのみ行われ、その送信先は前記アプリケーションに規定された送信先（例えば、前述の電子チケット管理装置）のみに限られ，その他の送信先に送られることはない。
【００２２】
次に、この送信された電子チケット情報は転送先への送信処理のために保持される。電子チケット情報を保持する態様は、例えば電子チケット管理装置に設けられた転送データベースに書き込むことによりなされても良いし、あるいは電子チケット管理装置のメインメモリにのみ保持され、他の記憶装置に記録されない態様であっても良い。
【００２３】
前記保持された電子チケット情報は、所定のタイミングで転送先へ送信される。所定のタイミングは、転送先への送信方法をＰＵＬＬ型とするかＰＵＳＨ型とするかなどにより、適宜なタイミングを用いて良い。
【００２４】
次に、前記ステップにおいて送信された電子チケット情報を転送先であるユーザ端末槽賃などにおいて受信する。転送先であるユーザ携帯端末装置は、転送本戸同様に前記アプリケーションと同一のアプリケーションを有しており、このアプリーケションに排他的に割り当てられた記憶領域を有している。そして前記送信された電子チケット情報はこの転送先におけるこのアプリーケションに排他的に割り当てられた記憶領域に格納される。
【００２５】
本発明の第４の態様は、第１のユーザ携帯端末装置から第２のユーザ携帯端末装置へ電子チケット情報を転送することが可能な電子チケット管理装置として成立する。
【００２６】
この電子チケット管理装置は、電子チケット情報を転送するための電子チケット情報転送部と、第１のユーザ携帯端末装置から受け取った電子チケット情報を記憶する転送データベース部とを有している。
【００２７】
前記電子チケット情報転送部は、前記記憶された電子チケット情報を変更することなく第２のユーザ携帯端末装置へ送信される。
【００２８】
本発明においては、電子チケット情報がユーザ携帯端末装置を特定する個体識別情報を含む場合であっても、個体識別情報を転送先のユーザ携帯端末装置のものに変更させる必要はない。そのため本発明による電子チケット管理装置は、簡易な構成で電子チケットの転送処理を実現することが可能となる。
【００２９】
本発明の第５の態様は、所定のアプリケーションに排他的に割り当てられる記憶領域を有する記憶部と、電子チケット情報を受け取り、前記記憶領域にこの電子チケット情報を格納し、この電子チケット情報を提供する電子チケット管理部とを有することを特徴とするユーザ携帯端末装置として成立する。
【００３０】
電子チケット情報は、所定のアプリケーションに排他的に割り当てられる記憶領域に格納されるので、他のアプリケーションを用いても電子チケット情報の閲覧、変更、複製を行うことは不可能となっており、電子チケット情報に暗号化を加えたりすることなく、電子チケット情報の安全性を確保することができる。
【００３１】
本発明の第６の態様は、電子チケット情報を第１のユーザ携帯端末装置から第２のユーザ携帯端末装置へ転送する方法として成立する。
【００３２】
この方法においては、まず、第１及び第２のユーザ携帯端末装置に所定のアプリケーションを送信する。このアプリケーションが電子チケット情報を管理することになる。
【００３３】
つぎに、先に電子チケット情報を保持している第１のユーザ携帯端末装置から転送対象として電子チケット情報が送信され、これを受信する。
【００３４】
つぎに、この受信した電子チケット情報を記憶しておき、第２のユーザ携帯端末装置に送信する準備をしておく。
【００３５】
前記第２のユーザ携帯端末装置への送信が可能となった時点で、前記記憶した電子チケット情報を第２のユーザ携帯端末装置に送信を行う。
【００３６】
前記電子チケット情報は第１及び第２のユーザ携帯端末装置の有する前記所定のアプリケーションに排他的割り当てられた記憶領域に格納されるデータであるので、不正な複製は改ざんされた電子チケット情報が出回ることなく、電子チケット情報の転送処理を行う。
【００３７】
本発明の第７の態様は、所定のアプリケーションを受信するステップと、電子チケット情報を受け取り、これを前記所定のアプリケーションに排他的に割り当てられた記憶領域に格納するステップと、前記記憶領域に格納された電子チケット情報を電子チケットチェック装置に提供するステップとを有することを特徴とする電子チケットを扱う方法として成立する。
【００３８】
本発明の８の態様は、電子チケット情報を転送する方法として成立する。この方法において、ユーザ携帯端末装置は、所定のアプリケーションを受信する。このアプリケーションの機能を実行することにより、電子チケット情報の発行先から電子チケット情報を受け取る。受け取った電子チケット情報は前記所定のアプリケーションに排他的に割り当てられた記憶領域に格納される。前記記憶領域に格納された電子チケット情報を転送先のユーザ携帯端末装置を示す情報と共に電転送を管理する装置に送信する。転送を管理する装置は、転送先となるユーザ端携帯末装置に電子チケット情報が送信可能となった状態（たとえば通信網を介した接続が確立した状態）を待って、電子チケット情報の送信を実行する。
【００３９】
【発明の実施の形態】
以下、図面を参照しながら本発明の実施の形態についてより詳細に説明する。
【００４０】
［１．ビジネスモデルの概要］
図１は、本発明の実施の形態によって実現されるビジネスモデルの一態様を説明するための図である。
【００４１】
ユーザ１０１は携帯電話機、ＰＤＡ（Ｐｅｒｓｏｎａｌ　Ｄａｔａ　Ａｓｓｉｓｔａｎｔ）などの通信可能かつ携帯可能な情報処理装置（以下、「ユーザ携帯端末装置１０２」という）を用いて、通信網１０５を介して電子チケット管理装置１０６から、電子チケット情報（電子的データを用いて、イベント会場に入場する権利を有することを示すデータを言う。以下同じ）１０４を扱うためのダウンロード可能なプログラム（以下、「アプリ１０３」という）を取得する。
【００４２】
アプリ１０３のダウンロードを行った後、ユーザ１０１はユーザ携帯端末装置１０２を操作することによりこのアプリ１０３を起動させることができる。アプリ１０３を起動させると、アプリ１０３の機能によりユーザ携帯端末装置１０２と電子チケット管理装置１０６とが通信網１０５を介して接続され、ユーザ携帯端末装置１０２は電子チケット管理装置１０６から購入可能な電子チケットの情報を取得する。例えば一覧表のような形態でどのような電子チケットが購入可能なのかユーザが閲覧できるようになる。
【００４３】
ユーザ１０１はユーザ携帯端末装置１０２によって表示されるこの購入可能な電子チケットの情報を参照して、購入する対象を決定し、電子チケット管理装置１０６に購入したい電子チケットに関する情報を通知する。電子チケット管理装置１０６はこの情報を受け取ると、購入代金の決済処理を行い、ユーザが購入代金を支払うことが確認できた場合は、電子チケット情報（電子チケットを示す情報をいう）１０４を生成して、これを通信網１０５を介してユーザ携帯端末装置１０２に送信する。
【００４４】
この電子チケット情報１０４は、ユーザ携帯端末装置１０２の有する記憶領域であって前記アプリ１０３専用に割り当てられた記憶領域（以下、「アプリ専用領域」という）に格納される。アプリ専用領域に格納されたデータは、このアプリ１０２以外のソフトウエア（ＯＳ（Ｏｐｅｒａｔｉｎｇ　Ｓｙｓｔｅｍ）、ブラウザ、他のアプリ）以外によっては読み書きができず、前記電子チケット情報はアプリ１０３によってアプリ専用領域に書き込まれる。これにより、何人も電子チケット情報を閲覧し、加工し、複製し、書き換えしたりすることは不可能となり、不正な電子チケット情報の作成、変更を防止することが可能となり、電子チケットの偽造、複製などを防止することができる。
【００４５】
つぎに、ユーザ１０１は上記電子チケットによって入場可能なイベント会場１０７へ、この電子チケット情報１０４を格納したユーザ携帯端末装置１０２を持参していく。イベント会場１０７の入場口など所定の場所に電子チケットチェック装置１０８が備えられており、電子チケットチェック装置１０８によってユーザ（入場者）が有する電子チケットのチェックが行われる。なお、電子チケットチェック装置１０８は、電子チケット管理装置１０６から当該イベントに関して電子チケット管理装置１０６が発行した電子チケット情報のリスト（以下、「発行済電子チケット情報リスト」という）を入場チェックに先立ってあらかじめ受け取っているように運営される。
【００４６】
ユーザ１０１が持参した（ユーザ携帯端末装置１０２に格納された）電子チケット情報１０４はアプリ１０３によって読み出され、電子チケットチェック装置１０８に渡される。電子チケットチェック装置１０８はこの電子チケット情報１０４が発行済電子チケット情報リストに含まれるか否かをチェックし、含まれている場合は、正式な電子チケットを所有するものとしてそのユーザ１０１の入場を認めるように動作する。また、電子チケットチェック装置１０８は、入場を認めた電子チケット情報１０４について記録しておき、不正・不当な複製された電子チケット情報を有するユーザの入場を排除するようにしても良い。
【００４７】
ユーザ携帯端末装置１０２から電子チケットチェック装置１０８に電子チケット情報１０４を渡す方法としては、アプリ１０３によって電子チケット情報１０４に基づいてバーコードのような画像データ１１１を生成し、これを液晶ディスプレイなどの表示部１１０に表示し、これを電子チケットチェック装置１０８が備える画像読取装置１０９（例えば、バーコードリーダー）を用いて読み取り、この読みとった画像データ１１１を再び電子チケット情報１０４に逆変換する方法や、ユーザ携帯端末装置１０２に近距離通信手段（たとえば、赤外線通信、無線ＬＡＮなど；図略）を設けておき、この近距離通信手段を用いてユーザ携帯端末装置１０２から電子チケットチェック装置１０８に電子チケット情報１０４を伝送する方法などが考えられる。
【００４８】
前記の画像データ１１１を用いる方法においては、電子チケット情報１０４から画像データ１１１に変換する処理はユーザ携帯端末装置１０２のアプリ１０３によって行われるようになっており、電子チケット情報に比べて容量の比較的大きな画像データを電子チケット管理装置からダウンロードしなくとも良く、通信リソースの消費を少なくすることができる。また、ユーザ携帯端末装置１０２に画像データとして記憶しておく必要がないので、ユーザ携帯端末装置１０２の記憶容量が少なくとも複数の電子チケットを電子的に格納することが可能となる。
【００４９】
以上のように、電子チケット情報１０４をユーザ携帯端末装置１０２に格納し、この電子チケット情報１０４を用いてユーザ１０１の入場チェックができることにより、安全性の高いチケットレスな電子チケットの販売が可能となる。
【００５０】
また、本ビジネスモデルでは、電子チケット情報１０４を電子チケット管理装置を経由して一のユーザ携帯端末装置１０２から他のユーザ携帯端末装置１０２に移動させることにより、あるユーザが代表して複数の電子チケットを購入し、チケット管理業者を経由して他のユーザへ転送することができる。これにより、ユーザは事前に他のユーザへ電子チケットを渡すことができるので、必ずしも一緒に入場する必要がなくなる。また、電子チケットの転送は必ず電子チケット管理装置を経由するので、チケット管理業者は、電子チケットの流通を管理することが可能となる。
【００５１】
［２．システム構成例］
つぎに、上記ビジネスモデルを実現するためのシステム（以下、「電子チケットシステム」という）の構成例について説明する。図２は、このような電子チケットシステムの構成例を示すブロック図である。同図において、電子チケットシステムは、通信網２０１に接続された電子チケット管理装置２０２と、この通信網２０１を介して電子チケット管理装置２０２に接続可能なユーザ携帯端末装置２０３と、ユーザ携帯端末装置２０３から電子チケット情報を受け取り可能な電子チケットチェック装置２０４とを有している。
【００５２】
通信網２０１は、有線・無線、専用回線・交換回線を問わず、これに接続されている装置がそれぞれ目的とする装置に対しセッションを確立したときにその間での情報の送受を可能とするように作用する。通信網２０１は、インターネットのように、ゲートウエイを介して複数のネットワークが組み合わされて実現しても構わない。また、その接続についてもいわゆるバックボーンといわれる基幹線に直接接続せずとも、ＰＰＰ（Ｐｏｉｎｔ　ｔｏ　Ｐｏｉｎｔ　Ｐｒｏｔｏｃｏｌ）接続などによって一時的に接続してあっても、セッションを確立したときにその間で情報の送受信ができるようになっていれば構わない。なお、上記「通信網」は専用回線を固定的に張りめぐらせたような、交換機を用いない通信網も含むものとする。
【００５３】
［２．１．電子チケット管理装置の構成例］
電子チケット管理装置２０２は、ユーザ携帯端末装置２０３からの要求に応じてアプリのデータを送信する機能と、ユーザ携帯端末装置２０３からの要求に応じてユーザが購入可能なチケットの一覧情報を提供し、ユーザに選択されたチケットに対応する電子チケット情報を生成し、生成した電子チケット情報をユーザ携帯端末装置２０３に送信する機能と、ある一つのユーザ携帯端末装置２０３から他のユーザ携帯端末装置２０３への電子チケット情報の転送要求を受け取り、この他のユーザ携帯端末装置２０３に転送要求にかかる電子チケット情報を送信する機能とを有している。
【００５４】
電子チケット管理装置２０２は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されている。前記ＲＯＭ、もしくは外部記憶装置などに情報処理装置を電子チケット管理装置２０２として機能させるためのプログラム、もしくは電子チケットの管理方法をコンピュータに実行させるためのプログラムが記憶されており、該プログラムを主メモリ上に載せ、ＣＰＵがこれを実行することにより電子チケット管理装置２０２が実現され、若しくは電子チケットの管理方法が実行される。また、上記プログラムはからなずしも当該装置内の記憶装置に記憶されていなくともよく、磁気ディスク、光ディスク、光磁気ディスク、ＣＤ（Ｃｏｍｐａｃｔ　Ｄｉｓｃ）、ＤＶＤ（Ｄｉｇｉｔａｌ　Ｖｉｄｅｏ　Ｄｉｓｃ）などのコンピュータ読み取り可能なプロクラム記録媒体や、外部の装置（例えば、ＡＳＰ（アプリケーション・サービス・プロバイダのサーバなど）から提供され、これを主メモリに乗せる構成であっても良い。
【００５５】
つぎに、電子チケット管理装置２０２の構成例について図３から図６を参照しながら説明する。図３は、電子チケット管理装置２０２の構成例を示すブロック図である。
同図に示す電子チケット管理装置２０２は、ユーザ登録部３０２と、ユーザ登録データベース（ＤＢ）部３０３と、アプリ送信部３０４と、チケット情報提供部３０５と、チケット情報データベース（ＤＢ）部３０６と、購入申込受付部３０７と、購入決済処理部３０８と、電子チケット情報生成・提供部３０９と、電子チケット情報転送部３１０と、転送データベース（ＤＢ）部３１１と、通信制御部３０１とを有している。
【００５６】
ユーザ登録部３０２と、アプリ送信部３０４と、チケット情報提供部３０５と、購入申込受付部３０７と、電子チケット情報生成・提供部３０９と、電子チケット情報転送部３１０とは、通信制御部３０１に接続されている。ユーザ登録ＤＢ部３０３は、ユーザ登録部３０２および電子チケット情報生成・提供部３０９とに接続されており、チケット情報ＤＢ部３０６は、チケット情報提供部３０５に接続されており、転送ＤＢ部３１１は電子チケット情報転送部３１０に接続されている。また、購入決定処理部３０８は購入申込受付部３０７に接続されているとともに、外部の決済システム（図略）に接続されている。
【００５７】
上記各部はＣＰＵ、ＲＡＭ、ＲＯＭ、Ｉ／Ｏ、外部記憶装置のいずれか若しくはこれらの少なくとも２以上の組み合わせとプログラムによって構成され、それぞれが物理的に独立したハードウエアによって構成される必要はない。また、上記各部は必ずしも物理的に単一の装置内に集められている必要はなく、例えば相互にネットワークで接続された複数のコンピュータに上記各部を分散して配置して構成してもかまわない。なお、上記各部が「接続されている」とは、データの受け渡しが可能であることを意味し、必ずしも物理的な接続がされていることを必要とするものではない。
【００５８】
以下、各部の機能について説明する。
通信制御部３０１は、通信網２０１に接続されており、通信網２０１を介してユーザ携帯端末装置２０３との接続の確立、及び情報の交換を実行する機能を有し、たとえば、ＴＣＰ／ＩＰを含むプロトコル・スタックにより構成される。　ユーザ登録部３０２は、ユーザからユーザ登録情報を受け取り、これをユーザ登録ＤＢ部３０３に書き込む機能を有する。ユーザ登録ＤＢ部３０３は、ユーザ登録情報を蓄積する機能を有する。図４は、ユーザ登録ＤＢ部３０３に蓄積されるデータの構成例を示す図である。この例では、ユーザ登録ＤＢ部３０３に蓄積されるデータはユーザテーブルとして構成されており、ユーザテーブル４００は各ユーザ毎にユーザレコードＲ４０１，Ｒ４０２，…を有している。各ユーザレコードは、ユーザ番号フィールド４０１、個体識別番号フィールド４０２、暗証番号フィールド４０３、氏名フィールド４０４、メールアドレスフィールド４０５を有している。
【００５９】
ユーザ番号フィールド４０１は、ユーザを一意に識別するための識別情報であるユーザ番号を格納する。ユーザ番号はたとえばユーザ登録部３０２によって発行されるＩＤ番号である。個体識別番号フィールド４０２は、そのユーザが用いているユーザ携帯端末装置２０３を一意に識別する情報を格納し、個体識別番号は例えば、携帯電話機の製造番号等である。ユーザ識別情報とは、例えば、携帯電話事業者とユーザとの契約毎に付与される識別情報であり、機種が変更されても同一である。一方、個体識別番号は、携帯電話装置毎に付与され、機種を変更すると変わり得る。ユーザ又は端末装置を特定することができれば足りる。暗証番号フィールド４０３はユーザの本人性を確認するための情報であって、例えばユーザによって選択された任意のパスワードを格納するフィールドである。氏名フィールド４０４は、そのユーザの氏名を格納するフィールドである。また、メールアドレスフィールド４０５は、そのユーザが電子チケット管理装置からの情報を受け取るためのメールアドレスを格納するフィールドである。
【００６０】
アプリ送信部３０４は、ユーザ携帯端末装置２０３にアプリを送信する機能を有する。アプリ送信部３０４は、それ自身がアプリのデータを記憶しており、このデータをユーザ携帯端末装置２０３に通信制御部３０１を介して送信する構成であっても良いし、あるいは別途設けられたアプリダウンロードサーバ（図略）にアプリを当該ユーザ携帯端末装置２０３に送信するよう要求を送信する構成であっても良い。
【００６１】
チケット情報提供部３０５は、ユーザ携帯端末装置２０３からの要求に応じてユーザが購入可能なチケットの情報を提供する機能を有する。チケット情報ＤＢ部３０６は、ユーザが購入可能なチケットに関する情報を蓄積する機能を有する。チケット情報提供部３０５は、ユーザの要求に応じてチケット情報ＤＢ部３０６に蓄積されているチケットに関する情報の全部又は一部を取得し、これを通信制御部３０１を介してユーザ携帯端末装置２０３に提供する。ユーザ携帯端末装置２０３に提供されるチケットに関する情報は、たとえばＨＴＭＬ，ＸＭＬ等によって記述されたＷｅｂ文書の形態でチケット情報提供部３０５により生成され、送信されても良い。図５は、チケット情報ＤＢ部３０６に蓄積されるデータの構成例を示す図である。この例では、チケット情報ＤＢ部３０６に蓄積されるデータはチケット情報テーブル５００として構成されており、チケット情報テーブル５００はチケット毎にチケットレコードＲ５０１，Ｒ５０２，…を有している。各レコードＲ５０１，Ｒ５０２，…は、一のチケットに対応する情報で構成されており、それぞれのレコードがイベント情報識別フィールド５０１、タイトルフィールド５０２、開始日フィールド５０３、終了日フィールド５０４、開始時刻フィールド５０５、チケット識別情報フィールド５０６、バーコード座標フィールド５０７、値段フィールド５０８、詳細ＵＲＬフィールド５０９、販売済みフラグフィールド５１０などを有している。
【００６２】
イベント識別情報フィールド５０１は、イベントを一意に特定するための情報を格納する。タイトルフィールド５０２は、そのイベントの名称を格納する。開始日フィールド５０３はそのイベントの開始日を格納する。終了日フィールド５０４はそのイベントの終了日を格納する。開始時刻フィールド５０５は、そのイベントの開始される時刻を格納する。チケット識別情報フィールドは、チケットを特定するための情報を格納する。チケットを特定するための情報は、たとえば座席番号であっても良いし、チケットの発行番号のように連続した１連の番号を用いても良い。あるいは、座席指定をせず、電子チケットの発行枚数のみ管理できればよい場合には、同一のイベントについては同一のチケット識別番号を全てのチケットレコードで用いる構成も可能である。また、識別番号の一部にチェックデジットを加える構成を用いても良い。バーコード座標フィールド５０７は、ユーザ携帯端末装置２０３に電子チケット情報を画像化した画像情報を表示される場合の、この画像情報の位置を指定する情報を格納する。値段フィールド５０８は、そのチケットの値段を格納する。詳細ＵＲＬフィールド５０９は、そのイベントの情報を示すサイト、Ｗｅｂページが公開されている場合にこれらのＵＲＬ（Ｕｎｉｆｏｒｍ　Ｒｅｓｏｕｒｃｅ　Ｌｏｃａｔｏｒ）、ＵＲＩ（Ｕｎｉｆｏｒｍ　Ｒｅｓｏｕｒｃｅ　Ｉｄｅｎｔｉｆｉｅｒ）などの情報を格納する。販売済みフラグフィールド５１０は、そのレコードに対応するチケットが本システムを通じて販売済みとなったか否かを示す情報を格納する。たとえば、未だ販売されていない状態を「０」、販売済みを「１」により表す場合、各チケットレコードの販売済みフラグフィールド５１０には当初「０」が格納されており、それぞれのチケットレコードに対応するチケットがユーザによって購入処理されると、その販売済みフィールドには「１」が格納されるようになる。チケット情報提供部３０５は、この販売済みフラグフィールド５１０を参照することによって、ユーザ携帯端末装置２０３に未販売のチケットに関する情報のみを送ることができる。
【００６３】
購入申込受付部３０７は、前記チケット情報提供部３０５によって送出された情報に基づいてユーザが購入するチケットに関する情報を受け取り、これをユーザの決済に関する情報を購入決済処理部３０８に渡して、決済が可能か否かかを問い合わせ、購入決済処理部３０８から決済可能若しくは決済完了の通知を受けた場合、電子チケット情報生成・提供部３０９に電子チケット情報の生成とユーザ携帯端末装置２０３に対する送信を指示する機能を有する。また、購入申込受付部３０９は、ユーザ登録ＤＢ部３０３を参照して、ユーザの認証処理（たとえば、購入申込要求に付随して送られてきたユーザ番号、個体識別番号、暗証番号をユーザ登録ＤＢ部に記憶されている情報と照合する）を行うようにしても良い。
【００６４】
購入決済処理部３０８は、チケットの購入申込みをしたユーザからチケット購入代金の決済処理を行い、決済可能若しくは決済完了した場合に購入申込受付部に通知する機能を有する。たとえば、ユーザがクレジットカードを用いて決済を希望する場合は、購入決済処理部３０８は、そのクレジットカードを扱うクレジットカード会社のシステムにそのユーザのカード番号などを送信し、認証を求め、クレジットカード会社のシステムから認証を得た場合は、決済可能若しくは決済完了した場合に購入申込受付部３０７に通知する。また、この実施形態において、購入決済処理部３０８は、外部機関（クレジットカード会社、銀行など）に接続して決済処理をするものとして説明したが、外部機関によらず電子チケット管理装置２０２内にユーザの決済可能額に関する情報を格納し、これを用いて電子チケット管理装置が自律的に決済の可否を判断するようにしても良い。
【００６５】
電子チケット情報生成・提供部３０９は、ユーザに選択されたチケットに対応する電子チケット情報を生成し、生成した電子チケット情報をユーザ携帯端末装置２０３に通信制御部２０１を介して送信する機能を有する。電子チケット情報生成・提供部３０９は、購入申込受付部３０７から電子チケット情報生成の指示を受け取ると、チケット情報ＤＢ部３０６に格納されている情報及び／又はユーザ携帯端末装置２０３から受け取った情報に基づいて、電子チケット情報を生成する。電子チケット情報は、数字、文字、記号のいずれか若しくはこれら２以上の組み合わせからなるシーケンスであって、画像情報ではない。ここで画像情報とは、情報処理装置に画像として表示させる目的で生成された情報であって、たとえばビットマップ、ＪＰＥＧ、ＴＩＦＦ等の形式によるすべての静止画像情報、およびＭＰＥＧ等の形式による動画情報の全てを含む。なお、音声情報はそれがデジタル化されて数値情報として扱える範囲において、本実施の形態における電子チケット情報として用いることが可能である。
【００６６】
また、電子チケット情報生成・提供部３０９は、生成された電子チケット情報をユーザ携帯端末装置２０３に送信するのであるが、この送信方式はいわゆるＰＵＬＬ型による配信であっても良いし、あるいはＰＵＳＨ型の配信であっても良い。あるいはＰＵＬＬ型、ＰＵＳＨ型を状況に応じて選択的に用いるようにしても良い。たとえば、そのチケットが抽選にかかるチケットであってチケットの購入申込後に抽選結果が出る場合には、ユーザの購入申込処理における電子チケット管理装置２０２との接続を終了し、抽選結果を得た後電子チケット管理装置２０２が電子メールにより電子チケット情報をユーザ携帯端末装置２０３に送信するようにし、一方抽選なく直ちに販売できるチケットに関しては、ユーザの購入申込処理に続いて、ユーザ携帯端末装置２０３からの要求に応じてＦＴＰ、ＨＴＴＰその他のファイル転送プロトコルを用いて電子チケット情報のダウンロードを直ちに行うようにしても良い。
【００６７】
電子チケット情報転送部３１０は、ある一つのユーザ携帯端末装置２０３から他のユーザ携帯端末装置２０３への電子チケット情報の転送要求を受け取り、この他のユーザ携帯端末装置２０３に転送要求にかかる電子チケット情報を送信する機能を有している。電子チケット情報は、転送元となるユーザ携帯端末装置２０３から送信されたものを電子チケット情報転送部３１０が受け取り、これを転送先である別のユーザ携帯端末装置２０３に送信する構成であっても良いし、あるいは、転送元であるユーザ携帯端末装置２０３から電子チケット情報を受け取ることなく、電子チケット情報転送部３１０においてその電子チケット情報を再度生成して転送するようにしても良いし、またあるいは、電子チケット情報転送部３１０が電子チケット情報生成・提供部３０９にその電子チケット情報を再度生成させ、転送先であるユーザ携帯端末装置２０３に送信するよう指示する構成としても良い。
【００６８】
転送ＤＢ部３１１は、転送元ユーザに関する情報、転送先ユーザに関する情報、転送対象となる電子チケット情報（電子チケット情報そのもの、若しくはチケットを特定するための情報であってもよい）を格納する機能を有する。図６は、転送ＤＢ部３１１に蓄積されるデータの構成例を示す図である。この例では、転送ＤＢ部３１１に蓄積されるデータは転送テーブル６００として構成されており、転送テーブル６００は一の転送毎に転送レコードＲ６０１，Ｒ６０２，…を有している。各転送レコードは、転送元ユーザフィールド６０１、転送先ユーザフィールド６０２、電子チケット情報フィールド６０３、転送完了フラグフィールド６０４とを有している。
【００６９】
転送元ユーザフィールド６０１は、転送元ユーザ（電子チケット情報の転送を要求するユーザを言う）を特定する情報を格納し、たとえば先に述べたユーザ登録ＤＢ部３０３に格納されるユーザ番号をユーザを特定する情報として用いて良い。転送先ユーザフィールド６０２は、転送先ユーザ（転送要求の対象である電子チケット情報の送信先のユーザ）を特定する情報を格納し、たとえば先に述べたユーザ登録ＤＢ部３０３に格納されるユーザ番号をユーザを特定する情報として用いて良い。電子チケット情報フィールド６０３は、転送対象となる電子チケット情報を格納する。なお、転送元のユーザ携帯端末装置２０３から電子チケット情報が電子チケット管理装置２０２に送信されない構成とする場合は、電子チケット情報フィールド６０３にはその電子チケット情報を再度生成するために必要な情報（たとえば、イベント識別情報、チケット識別情報など）がユーザ携帯端末装置２０３から送られてこのフィールドに格納されるようにすればよい。転送完了フラグフィールド６０４は、そのレコードに対応する転送が実行されたか否かを示す情報を格納する。たとえば、未だ転送されていない状態を「０」、転送済みを「１」により表す場合、転送レコードの転送完了フラグフィールド６０４には当初「０」が格納されており、それぞれのレコードに対応する転送が実行されると、その転送完了フラグフィールド６０４には「１」が格納されるようになる。
【００７０】
なお、電子チケット情報を転送先のユーザ携帯端末装置２０３に送信する方法は、いわゆるＰＵＬＬ型による配信であっても良いし、あるいはＰＵＳＨ型の配信であっても良い。あるいはＰＵＬＬ型、ＰＵＳＨ型を状況に応じて選択的に用いるようにしても良い。
【００７１】
［２．２．ユーザ携帯端末装置の構成例］
つぎに、ユーザ携帯端末装置２０３の構成例について図７から図９を参照しながら説明する。図７は、ユーザ携帯端末装置２０３の構成例を示すブロック図である。
【００７２】
ユーザ携帯端末装置２０３は、電子チケット管理装置２０２からアプリを受け取り、このアプリを実行することにより、電子チケット管理装置２０２にチケットの購入申込要求を送信し、この購入申込要求に応じて電子チケット管理装置２０２から送信される電子チケット情報を受け取り、記憶部７０４に設けられた前記アプリに排他的に割り当てられた記憶領域であるアプリ専用記憶領域７０５にこの電子チケット情報７０８を格納し、この電子チケット情報７０８を電子チケットチェック装置２０４に提供する機能を有する。また、ユーザ携帯端末装置２０３は、他のユーザ携帯端末装置２０３に自己が記憶している電子チケット情報７０８を転送するよう電子チケット管理装置２０２に要求し、転送が受け付けられ若しくは完了した旨の通知を電子チケット管理装置２０２から受け付けた場合、その電子チケット情報７０８を削除する機能を有していてもよい。また、ユーザ携帯端末装置２０３は、同一のイベントに関する複数の電子チケット情報７０８を取得し、これら複数の電子チケット情報７０８を電子チケットチェック装置２０４に連続して提供する機能を有していてもよい。
【００７３】
ユーザ携帯端末装置２０３は、通信網２０１を介して電子チケット管理装置２０２に接続可能であり、かつ電子チケットチェック装置２０４に電子チケット情７０８報若しくはこの電子チケット情報７０８に基づいて生成される情報を提供可能な情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置などで構成されている。たとえばユーザ携帯端末装置２０３は、携帯電話器、移動体通信端末、ＰＤＡ（Ｐｅｒｓｏｎａｌ　Ｄｉｇｉｔａｌ　Ａｓｓｉｓｔａｎｔ）もしくはコンピュータなどのユーザによる携帯可能な情報処理装置であって、具体的な例としてはＷｅｂ接続機能を有する携帯電話器、Ｗｅｂ文書閲覧ソフトウエアであるいわゆるブラウザを搭載した装置である。なお、ここで「ユーザによる携帯可能な情報処理装置」は、ユーザが自ら搬送できる情報処理装置に限られるものではなく、自動車、自転車、オートバイなどの移動手段若しくは搬送手段に搭載可能なもの、これら移動手段に半固定的に搭載されているもの、若しくは定常的に固定されているもの（例えば、車載コンピュータなど）を含む。
【００７４】
図７に示すユーザ携帯端末装置２０３は、通信制御部７０１と、電子チケット管理部７０２と、制御部７０３と、記憶部７０４と、入力部７０９と、表示部７１０とを有する。ユーザ携帯端末装置２０３は、さらに電子チケット情報７０８を電子チケットチェック装置２０４に提供する手段として近距離通信部７１１を有していても良い。
【００７５】
電子チケット管理部７０２は通信制御部７０１に接続されており、通信制御部７０１及び通信網２０１を介して電子チケット管理装置２０２とデータの送受信が可能となっている。また、電子チケット管理部７０２は、記憶部７０４と、制御部７０３と、入力部７０９と、表示部７１０とに接続されており、また近距離通信部７１１を有する場合は、これにも接続されている。制御部７０３は、他の各部全て接続されており、各部間のデータの受け渡しの制御、管理をおこなう。
【００７６】
以下、上記各部の機能について説明する。
【００７７】
［２．２．１．電子チケット管理部］
電子チケット管理部７０２は、前記ダウンロードにより取得したアプリを、ユーザ携帯端末装置２０３のＣＰＵ、主メモリなどによって実行することにより実現される構成要素である。
【００７８】
電子チケット管理部７０２は、電子チケット管理装置２０２にチケットの購入申込要求を送信し、この購入申込要求に応じて電子チケット管理装置２０２から送信される電子チケット情報７０８を受け取り、アプリ専用記憶領域７０５にこの電子チケット情報７０８を格納し、この電子チケット情報７０８を電子チケットチェック装置２０４に提供するよう所定のデータ形態に変換処理し、あるいは電子チケット情報７０８を近距離通信部７１１に供給する機能を有する。
【００７９】
また、電子チケット管理部７０２は、他のユーザ携帯端末装置２０３に自己が記憶している電子チケット情報７０８を転送するよう電子チケット管理装置２０２に要求を送信し、その転送が受け付けられ若しくは完了した旨の通知を電子チケット管理装置２０２から受け付けた場合、その電子チケット情報７０８を削除する機能を有していてもよい。なお、電子チケット情報７０８を削除するタイミングはその転送が受け付けられ若しくは完了した旨の通知を受け取ったときに限られずその他適宜のタイミング、たとえば転送要求を発した時点において削除するようにしても良い。
【００８０】
また、電子チケット管理部２０２は、ユーザが選択した電子チケット情報７０８と同一のイベントに関する電子チケット情報７０８を電子チケットチェック装置２０４に連続して提供する機能を有していてもよい。
【００８１】
図８に、電子チケット管理部７０２の機能ブロック図の一例を示す。電子チケット管理部７０２は、ユーザ登録処理部８０１と、電子チケット情報要求部８０２と、電子チケット情報取得部８０３と、電子チケット生成部８０４と、転送要求部８０５と、データ読み取り書き込み処理部８０６と有している。
ユーザ登録処理部８０１と、電子チケット情報取得部８０３と、転送要求部８０５とは、通信制御部７０１に接続されていると共に、データ読み取り書き込み処理部８０６に接続されている。電子チケット情報要求部８０２は、通信制御部７０１に接続されている。電子チケット生成部８０４は、データ読み取り書き込み処理部８０６に接続されているとともに、表示部７１０もしくは近距離通信部７１１に接続されている。
【００８２】
ユーザ登録処理部８０１は、電子チケット管理装置２０２のユーザ登録部３０２に、ユーザ登録に関する情報を提供すると共に、ユーザ登録に関する情報の全部又は一部を記憶部７０４に書き込ませる機能を有する。
【００８３】
電子チケット情報要求部８０２は、電子チケット管理装置２０２に購入可能なチケットに関する情報を送信するよう要求し、受け取った購入可能なチケットに関する情報をユーザに提示（表示部７１０に表示させる）し、ユーザによって選択されたチケットの購入申込要求を電子チケット管理装置２０２に送信する機能を有する。
【００８４】
電子チケット情報取得部８０３は、電子チケット管理装置２０２から送信される電子チケット情報７０８を受け取り、これをデータ読み取り書き込み処理部８０６をして記憶部７０４に書き込ませる機能を有する。
【００８５】
電子チケット生成部８０４は、ユーザによって指定された電子チケット情報７０８をデータ読み取り書き込み処理部８０６を介して記憶部７０４から取得し、これを所定の画像データに変換して表示部７１０に提供し、あるいは、電子チケット情報７０８を近距離通信部７１１に提供する機能を有する。ここで、電子チケット生成部８０４によって変換され生成される画像データは、バーコードデータや、二次元バーコードデータなど、表示部７１０に表示されることによって電子チケットチェック装置２０４により光学的に読み取り可能な画像データであれば、どのような種類・形式の画像データであっても良い。
【００８６】
転送要求部８０５は、他のユーザ携帯端末装置２０３に自己が記憶している電子チケット情報７０８を転送するよう電子チケット管理装置２０２に要求を送信し、所定のタイミングでその電子チケット情報７０８をデータ読み取り書き込み処理部８０６をして記憶部７０４から削除させる機能を有する。
【００８７】
データ読み取り書き込み処理部８０６は、各部からの要求に応じて記憶部７０４へユーザ情報７０７や電子チケット情報７０８を書き込み、また記憶部７０４からユーザ情報７０７や電子チケット情報７０８を読み出し、あるいは削除する機能を有する。
【００８８】
［２．２．２．記憶部］
記憶部７０４は、アプリそのもののプログラムデータ（以下、「アプリデータ」という）７０６と、ユーザ情報７０７と、チケット情報７０８とを記憶する機能を有する。記憶部には、このアプリデータ７０６に格納されたアプリに対して排他的に設定されたアプリ専用記憶領域７０５が制御部７０３によって定められる。「アプリに対して排他的に設定された」とは、制御部７０３がそのアプリ以外のすべてのソフトウエア（他の同種のアプリ、ＯＳ，ブラウザ、エディタなど全てのソフトウエアを含む）によるデータの読み書きを許可しない記憶領域であること言うものとする。これによりアプリ専用記憶領域７０５に格納されるユーザ情報７０７，やチケット情報７０８が不正に閲覧され、複製され、改変され、転送されるようなことは不可能となり、本システムにおける電子チケットのセキュリティは暗号化等の別途の手段を用いることなく達成される。
【００８９】
なお、アプリ専用記憶領域７０５は、必ずしも連続した記憶領域である必要はなく、記憶部７０４に分散して設けられていても良い。また、アプリ専用記憶領域７０５は、物理的に同一の記憶手段に設けられる必要はなく、たとえばアプリデータ７０６と、ユーザ情報７０７と、チケット情報７０８とが物理的に複数の記憶手段に分散して格納されるようになっていても良い。
【００９０】
［２．２．２．１．ユーザ情報、電子チケット情報のデータ構成例］
つぎに、ユーザ情報７０７と、電子チケット情報７０８のデータ構成例について図９（Ａ）から（Ｃ）を参照しながら説明する。図９（Ａ）は、ユーザ情報７０７のデータ構成例を示す図であり、図９（Ｂ）は、電子チケット情報７０８のデータ構成例を示す図であり、図９（Ｃ）は、電子チケット情報７０８の別のデータ構成例を示す図である。
【００９１】
図９（Ａ）に示すユーザ情報７０７は、ユーザ識別情報９０１と、個体識別情報９０２と、暗証番号情報９０３と、決済情報９０４とにより構成される。ユーザ識別情報９０１、個体識別情報９０２、および暗証番号情報９０３は前述の、ユーザ番号フィールド４０１、個体識別番号フィールド４０２、暗証番号フィールド４０３にそれぞれ格納される情報に対応する。また、決済情報９０４は、決済に必要な情報であって、たとえば銀行口座番号、クレジットカード番号などである。
【００９２】
図９（Ｂ）に示す電子チケット情報７０８は、イベント情報識別情報９０５、イベント名称情報９０６、開始日情報９０７、終了日情報９０８、開始時刻情報９０９、チケット識別情報９１０、描画座標情報９１１を有している。これら情報は、前述のイベント情報識別フィールド５０１、タイトルフィールド５０２、開始日フィールド５０３、終了日フィールド５０４、開始時刻フィールド５０５、チケット識別情報フィールド５０６、バーコード座標フィールド５０７にそれぞれ格納される情報に相当する。
【００９３】
図９（Ｃ）に示す電子チケット情報７０８は、より少ない情報でチケットの判定を可能とするデータ構成であり、イベント識別情報９０５およびチケット識別情報９１０のみで構成されている。
【００９４】
なお、電子チケット情報のデータ構成はこれらに限られるものではなく、適正に電子チケットの入場の可否が判定できる構成であればどのようなデータ構成を採用しても良い。
【００９５】
［２．２．３．その他の構成要素］
再び図７に戻り、ユーザ携帯端末装置の他の構成要素について説明する。
通信制御部７０１は、通信網２０１を介して電子チケット管理装置２０２との接続を確立することが可能であり、通信網２０１を介してユーザ携帯端末装置２０３との接続の確立後、情報の交換を実行する機能を有し、たとえば、ＴＣＰ／ＩＰを含むプロトコル・スタックにより構成される。
【００９６】
入力部７０９は、ユーザからの入力を受け付け各部にユーザからの命令、情報などを提供する機能を有し、たとえばキーボード、ボタン、ポインティングデバイスなどである。
【００９７】
表示部７１０は、情報をユーザに了知可能な形態で提供する機能を有し、たとえば液晶ディスプレイ、プラズマディスプレイ等の表示装置ある。また、表示部７１０は、電子チケット情報を画像データに変換して電子チケットチェック装置２０４に提供する構成においては、画像データを表示し、電子チケットチェック装置２０４に読みとらせる機能を有する。
【００９８】
近距離通信部７１１は、データ通信を行う機能を有する。この近距離通信部７１１により電子チケット情報が電子チケットチェック装置２０４に提供される。本実施の態様における電子チケットチェック装置のように入場ゲートとして機能するような固定型端末と、ユーザ携帯端末装置２０３のような携帯型通信端末との間でデータ交換を行う方法としては、固定側端末と携帯通信端末の間でデータの転送若しくは交換が成立する方法であればどのような方法であっても良い。このデータの交換は、単方向（一方向）であっても良く、あるいは双方向であっても良い。またＰｏｉｎｔ　ｔｏ　Ｐｏｉｎｔ通信のように一対一の関係でデータの交換がおこなわれる方法であっても良いし、Ｐｏｉｎｔ　ｔｏ　Ｍｕｌｔｉ通信のような一対多の関係でデータの転送若しくは交換を行うものであっても良い。
【００９９】
上記データの転送若しくは交換を行う具体的な方法として、例えば、光学的読み取り方法、近距離通信による方法、接触型・非接触型ＩＣカードを用いる方法、人体を媒介（媒体）として通信を行う方法などが考えられる。
【０１００】
光学的読み取り方法は、転送対象となる情報をバーコードなどの画像情報に変換し、一方の装置の液晶ディスプレイ等の表示部にこの画像情報を表示し、他方の装置に設けられた光学的読み取り装置よって、画像情報を読み取りこの画像情報を逆変換することにより転送対象となる情報を再生して得る。
【０１０１】
近距離通信を用いる方法においては、たとえばＩｒ−ＤＡ（Ｉｎｆｒａｒｅｄ　Ｄａｔａ　Ａｓｓｏｃｉａｔｉｏｎ）、Ｂｌｕｅｔｏｏｔｈ等の近距離通信手段を用い、固定側端末と携帯通信端末の双方にこれら近距離通信手段を搭載して、データの送信を行う。なお、ここで行う通信は単方向通信であっても良いし、双方向通信としても良い。またここにいう「短距離」とは、一方が他方を視認できる程度の距離を言うものとする。但し、上記データの転送若しくは交換を行う具体的な方法は、近距離通信に含まれない「長距離通信」を用いてもかまわないが、効率の面で近距離通信の方が好ましい。
【０１０２】
接触型・非接触型ＩＣカード方式を用いるには、携帯型通信端末に接触型・非接触型ＩＣカード都道等の機能を付与し、固定型端末側にＩＣカードリーダを設けるようにすればよい。なお、接触型ＩＣカードについては「ｈｔｔｐ：／／ｗｗｗ．ｎｍｄａ．ｏｒ．ｊｐ／ｎｍｄａ／ｉｐａ／ｉｃｃ／ｉｐａ−ｉｃｃ．ｈｔｍｌ」を、また、接触型ＩＣカードについては「ｈｔｔｐ：／／ｗｗｗ．ｔｍｐ．ｃｏ．ｊｐ／ｍｊｉｃｃ０１／ｉｃｃ００４００．ｈｔｍｌ」を参照されたい。
【０１０３】
人体を媒体として通信を行い、、固定側端末と携帯通信端末の間で人体を通信媒体としてデータの転送若しくは交換を行うことも可能である。一例としては、これはマサチューセッツ工科大学（ＭＩＴ　）メディア研究所の２　つの研究グループ間の業績により誕生したパーソナル・エリア・ネットワーク（ＰＡＮ　）である。
【０１０４】
この技術は、人体の自然塩分は、人体を電流の優れた導体にすることに基づくものである。ＰＡＮ　技術はこの導電性を利用し、ごく僅かな電流を用いて、ユーザの識別及び他の情報をある人から別の人に、或いは自動車、公衆電話、自動預金支払機（ＡＴＭ　）などの様々な日常物にさえも伝送する。データは、たとえば厚いクレジットカード・サイズのＰＡＮ　送信機及び受信機内に配置されるマイクロプロセッサを介して転送される。次にデジタル・データが、微小の外部電界を介して送信または受信される。小信号が人体の自然塩分により伝導され、気付かれることなく、情報を人体を通じて伝達する。低周波及び低電力の信号は個人に符号化される情報が人体を超えて伝達されず、人体と接触するある固定型端末及び携帯通信端末よって受信されることを保証する。情報が現在伝送されるスピードは、２４００　ボー・モデムに等価である。理論的には、この方法により４０００００　（すなわち４００ｋ　）ビット／秒が伝達され得る。ＰＡＮ　は固定のケーブル接続などを要求しないアドホック人体ネットワークの典型的な例である。
【０１０５】
［２．３．電子チケットチェック装置］
つぎに、電子チケットチェック装置２０４について図１０を参照しながら説明する。
【０１０６】
電子チケットチェック装置２０４は、ユーザ携帯端末装置２０３から電子チケット情報の提供を受け、この電子チケット情報と、電子チケット管理装置２０２により発行された電子チケット情報とを比較し、その電子チケット情報について判定を行う機能を有する。
【０１０７】
電子チケットチェック装置２０４は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されている。前記ＲＯＭ、もしくは外部記憶装置などに情報処理装置を電子チケットチェック装置２０４として機能させるためのプログラム、もしくは電子チケットの管理方法をコンピュータに実行させるためのプログラムが記憶されており、該プログラムを主メモリ上に載せ、ＣＰＵがこれを実行することにより電子チケットチェック装置２０４が実現され、若しくは電子チケットの判定方法が実行される。また、上記プログラムはからなずしも当該装置内の記憶装置に記憶されていなくともよく、磁気ディスク、光ディスク、光磁気ディスク、ＣＤ（Ｃｏｍｐａｃｔ　Ｄｉｓｃ）、ＤＶＤ（Ｄｉｇｉｔａｌ　Ｖｉｄｅｏ　Ｄｉｓｃ）などのコンピュータ読み取り可能なプロクラム記録媒体や、外部の装置（例えば、ＡＳＰ（アプリケーション・サービス・プロバイダのサーバなど）から提供され、これを主メモリに乗せる構成であっても良い。
【０１０８】
図１０に示す電子チケットチェック装置２０４は、電子チケット情報受取部１００１と、電子チケット情報記憶部１００２と、判定部１００３と、判定結果出力部１００４とを有する。電子チケット情報受取部１００１と、電子チケット情報記憶部１００２とは、判定部１００３に接続されており、判定部１００３は、判定結果出力部１００４に接続されている。
【０１０９】
電子チケット情報受取部１００１は、ユーザ携帯端末装置２０３から提供される電子チケット情報を受け取り、これを判定部１００３に提供する機能を有する。電子チケット情報が変換されている場合は、これを逆変換して電子チケット情報を復元する機能を有していて良い。たとえば、電子チケット情報がバーコードなどの画像データに変換されてユーザ携帯端末装置２０３から提供される場合は、電子チケット情報受取部１００１は、光学スキャナ及びバーコードからデータを復元するソフトウエア部などによって構成される。また、近距離通信部７１１によって電子チケット情報が無線、赤外線など所定の通信媒体によって提供される場合は、これを受信・受光し、復号して電子チケット情報を再生するように機能する。
【０１１０】
電子チケット情報記憶部１００２は、前記電子チケット管理装置２０２により発行された電子チケット情報（以下、「発行済み電子チケット情報」という）を格納する機能を有する。発行済み電子チケット情報は通信網２０１を介して電子チケット管理装置２０２から電子チケットチェック装置１０８に提供されるようにしても良いが、必ずしも通信網による提供を行う必要はない。少なくとも入場者のチェックイン処理・改札を開始する時点までに何らかの方法を用いて電子チケットチェック装置２０４に格納されていればよく、ＣＤ−Ｒ，ＤＶＤなどの記録媒体に発行済み電子チケット情報を記録し、これをイベント会場に持ち込んで提供するように構成しても良い。
【０１１１】
判定部１００３は、電子チケット情報受取部１００１から受け取った電子チケット情報と、電子チケット情報記憶部１００２に記憶されている発行済み電子チケット情報とを比較し、前記受け取った電子チケット情報が子チケット情報記憶部１００２に記憶されている発行済み電子チケット情報のいずれかに一致する場合は、入場を許可する旨を判定結果出力部１００４に通知し、一方一致しない場合は入場を拒否する旨を判定結果出力部１００４に通知するように機能する。
【０１１２】
判定結果出力部１００４は、判定部の通知に応じて当該ユーザ携帯端末装置２０３に関する入場の可否を出力する。出力の形態としては、様々な形態が考えられるが、機械的に扉、バーなどの開閉・上げ下げを行うようにしても良いし、ブザー等の音声によっ手判定結果を出力しても良いし、ディスプレイ装置などに「可」「不可」の文字データを表示するようにしても良い。
【０１１３】
［３．システムの動作］
つぎに、本システムの動作例について説明する。
［３．１．アプリのダウンロード及び電子チケットの購入処理］
まず、アプリのダウンロード及び電子チケットの購入処理における本システムの動作例を図１１及び図１２を参照しながら説明する。図１１は、アプリのダウンロード及び電子チケットの購入処理におけるシーケンス図であり、図１２（Ａ）から（Ｇ）は、チケットの情報要求及び購入要求に用いられるユーザ携帯端末装置２０３の表示部７１０に表示される一連のユーザインターフェイス画面例を示す図である。
【０１１４】
まず、ユーザ携帯端末装置２０３から電子チケット管理装置２０２に通信網２０１を介してアプリダウンロード要求が送信される（Ｓ１１０１）。この要求はユーザ携帯端末装置２０２のＯＳ，若しくはブラウザによってなされて良い。
【０１１５】
電子チケット管理装置２０２は、そのアプリ送信部３０４によってユーザ携帯端末装置２０３にアプリデータを送信する（Ｓ１１０２）。
アプリを受信したユーザ携帯端末装置２０３では、制御部７０３によって記憶部７０４にアプリ専用記憶領域７０５が設定されると共に、アプリ専用記憶領域７０５にアプリデータ７０６を格納させる。
【０１１６】
つぎに、ユーザがアプリを起動させると、ユーザ携帯端末装置２０３が電子チケット管理部７０２として機能するようになる。ユーザ登録が魅了である場合は、電子チケット管理部７０２が、ユーザ登録画面を表示部７１０に表示させてユーザ登録をユーザに促す。ユーザが所定の操作を行う（例えば、氏名、暗証番号、決済情報の入力、登録送信の許可の入力）と、電子チケット管理部７０２が電子チケット管理装置２０２にユーザ登録情報を送信し（Ｓ１１０３）、またアプリ専用記憶領域７０５にユーザ情報７０６に書き込む（Ｓ１１０４）。ユーザ登録が完了するとチケットの購入処理が可能となる。
【０１１７】
チケットの購入を希望するユーザは、電子チケット管理部７０２により電子チケット管理装置２０２に購入可能なチケットの情報を要求する（Ｓ１１０５）。電子チケット管理装置２０２は、チケット情報提供部３０５によりこの要求に応じて購入可能なチケットの情報をユーザ携帯端末装置２０３に送信する（Ｓ１１０６）。
【０１１８】
ユーザはユーザ携帯端末装置２０３に表示される情報を用いて購入するチケットを選択する（Ｓ１１０７）。図１２（Ａ）から図１２（Ｆ）は、購入するチケットを選択するために用いられるユーザインターフェイスの例を示す図である。図１２（Ａ）は、アプリが起動した場合に表示される初期画面であり、ここで「［２］チケットメニュー」がユーザに選択されたものとする。すると画面はチケットメニューを表示する図１２（Ｂ）のユーザインターフェイス画面に遷移する。
【０１１９】
図１２（Ｂ）のユーザインターフェイス画面は複数のチケット検索方法を提示している。ユーザがいずれかの検索方法によりチケットの検索を行い、いずれかのチケットを選択したものとする。選択を行うと図１２（Ｃ）に示すユーザインターフェース画面に遷移する。この画面は、選択されたチケットを表示したユーザインターフェイス画面を示している。図１２（Ｃ）において「［購入］」を選択すると、続いて図１２（Ｄ）に示す席種選択のためのユーザインターフェイス画面が提示される。ここでユーザが席種を指定すると図１２（Ｅ）に示す購入するチケットの枚数を指定するユーザインターフェイス画面に遷移する。
【０１２０】
図１２（Ｅ）のユーザインターフェイス画面において、ボックスに希望枚数を入力し、「ＯＫ」ボタンを活性化させると、購入金額の確認及び暗証番号の入力を促すユーザインターフェイス画面（図１２（Ｆ））に遷移する。
【０１２１】
図１２（Ｆ）においてユーザ登録時に定めた暗証番号をボックスに入力し、「ＯＫ」ボタンを活性化させると、ユーザ携帯端末装置２０３の電子チケット管理部７０２は、電子チケット管理装置２０２にチケット購入処理要求を送信する（Ｓ１１０８）。このときチケット購入処理要求に伴ってユーザ認証を行うための情報（たとえば、ユーザ識別情報、個体識別情報、暗証番号）、購入チケットを特定する情報（例えば、イベント識別情報、チケット識別情報、席種に関する情報、枚数を指定する情報など）、及び決済に関する情報（決済情報など）などがユーザ携帯端末装置２０３から電子チケット管理装置２０２に送信される。
【０１２２】
チケット購入処理要求及び上記のような諸情報を受け取った電子チケット管理装置２０２は、購入申込受付部３０７および購入決済処理部３０８によりユーザ認証処理及び決済処理を行い、決済可能である場合は電子チケット情報生成・提供部３０９により購入申込みに対応する電子チケット情報の生成させ（Ｓ１１０９）、生成した電子チケット情報を前記のユーザ携帯端末装置２０３に送信する（Ｓ１１１０）。
【０１２３】
電子チケット情報を受け取ったユーザ携帯端末装置２０３においては、電子チケット管理部７０２がこの電子チケット情報を記憶部７０４のアプリ専用記憶領域７０５に格納し、記憶させる（Ｓ１１１１）。図１２（Ｇ）は、この電子チケット情報の受領・格納が完了したことをユーザに伝えるためのユーザインターフェイス画面の例を示している。
以上で、アプリのダウンロードからチケットの購入処理が終了する。
。
【０１２４】
［３．２．電子チケットのチェック処理］
つぎに、ユーザ携帯端末装置２０３に格納された電子チケット情報を電子チケットチェック装置２０４に提供する処理例について、図１３および図１４（Ａ）から図１４（Ｅ）を参照しながら説明する。図１３は、電子チケット情報を電子チケットチェック装置２０４に提供する処理例を示すシーケンス図であり、図１４（Ａ）から（Ｅ）は、電子チケット情報をユーザ携帯端末装置２０３に電子チケットチェック装置２０４提供させる処理においてユーザ携帯端末装置２０３の表示部７１０に表示される一連のユーザインターフェイス画面例を示す図である。
【０１２５】
まず、ユーザはアプリ７０６を起動させることにより、電子チケット管理部７０２としてユーザ携帯端末装置２０３を機能させる。ユーザは続いて電子チケット管理部７０２にチケットの提供処理を要求する（Ｓ１３０１）。図１４（Ａ）は、アプリが起動した場合に表示される初期画面であり、ここで「［２］チケットメニュー」がユーザに選択されたものとする。
【０１２６】
チケットの提供処理が要求される（Ｓ１３０１）と、電子チケット管理部７０２は、ユーザに購入したチケットの情報をアプリ専用記憶領域７０５の記憶されている電子チケット情報７０８を参照することにより提供する（Ｓ１３０２）。このとき表示部７１０に示される画面は購入したチケットから提供処理の対象となるものの選択を促すユーザインターフェイス画面（図１４（Ｂ））に遷移する。
【０１２７】
ユーザが入力部７０９を操作していずれかのチケットの選択を行う（Ｓ１３０３）と、選択された電子チケット情報が電子チケット管理部７０２に通知され（Ｓ１３０４）、電子チケット管理部７０２は選択された電子チケット情報を電子チケットチェック装置２０４に提供するために必要な処理を行う（Ｓ１３０５）。たとえば、バーコードなどの画像データを用いて提供する場合は、電子チケット管理部７０２は、選択された電子チケット情報から画像データを生成し、表示部７１０に表示させる処理を行う。このとき、同一のイベントに関する複数の電子チケット情報がアプリ専用記憶領域７０５に記憶された場合は、電子チケット管理部７０２は複数の電子チケット情報から一の連続した画像データを生成するようにしても良い。
【０１２８】
一方、近距離通信部７１１を用いる場合は、電子チケット情報の伝送が行われる（Ｓ１３０６）。
【０１２９】
図１４（Ｃ）は、ステップ１３０３において電子チケット情報の選択が行われた場合に、ユーザ携帯端末装置２０３の表示部７１０に表示されるユーザインターフェイス画面の例を示す図である。この例では、インターフェイス画面中のボタン［バーコード表示］が活性化されると電子チケット管理部７０２が画像データであるバーコードの生成を行い、表示部７１０に表示させる。図１４（Ｄ）は図１４（Ｃ）に続いて表示されるユーザインターフェイス画面を示す図であって、表示部７１０に表示させたバーコードの例を示す。図１４（Ｅ）は複数の電子チケット情報に関して連続的に画像データを示す画面の例を示す図である。
【０１３０】
図１４（Ｄ）において１枚目の電子チケット情報に対応するバーコードが表示されていると共に２枚目のバーコードを示す画面に遷移させるためのボタン［２枚目表示］が表示されている。図１４（Ｅ）は、ボタン［２枚目表示］が活性化されて２枚目の電子チケット情報に対応するバーコードを示す画面である。
【０１３１】
再び、図１３に戻ると、電子チケット情報を受け取った電子チケットチェック装置２０４は、受け取った電子チケット情報と、電子チケット情報記憶部１００２に記憶されている発行済み電子チケット情報とを比較し、判定を行い、判定結果を出力する（Ｓ１３０７）。
【０１３２】
一方、ユーザ携帯端末装置２０３は、入場判定が終了した後にその電子チケット情報を削除する処理をおこなってもよい（Ｓ１３０８）。削除処理は電子チケット管理部７０２が前記ステップＳ１３０５若しくはＳ１３０６が終了した後自動的に実行するようにしても良いし、近距離通信部７１１により電子チケットチェック装置２０４と双方向通信が可能であれば、電子チケットチェック装置２０４から電子チケット情報受領通知を受け取ると、電子チケット管理部７２０が自動的に削除するようにしても良いし、あるいはユーザが不要になった電子チケット情報を適宜削除できるようにしても良い。
【０１３３】
図１５（Ａ）から（Ｆ）は、ユーザが不要になった電子チケット情報を削除するためのユーザインターフェイス画面例を示す図である。図１５（Ａ）は、アプリが起動した場合に表示される初期画面であり、ここで「［４］チケット削除」がユーザに選択されたものとする。すると表示部７１０に示される画面は購入したチケットから提供処理の対象となるものの選択を促すユーザインターフェイス画面（図１５（Ｂ））に遷移する。ユーザが図１５（Ｂ）において表示された中からいずれかを選択すると、図１５（Ｃ）に示すように選択された電子チケット情報に関する情報と削除をユーザに確認する「ＯＫ」ボタンを表示する画面に遷移する。「ＯＫ」ボタンがユーザにより活性化させられると、画面は図１５（Ｄ）に示す画面に遷移し、ユーザに暗証番号の入力を求める。これにより他人による不正な削除を防止することができる。図１５（Ｄ）に示す画面において「ＯＫ」ボタンがユーザにより活性化させられると、チケット削除を確認する画面（図１５（Ｆ）に遷移し、以上でユーザによる電子チケット情報の削除処理が終了する。
【０１３４】
［３．３．電子チケットの転送処理］
つぎに、本システムによる電子チケットの転送処理における処理例について、図１６および図１７（Ａ）から図１７（Ｇ）を参照しながら説明する。図１６は、２つのユーザ携帯端末装置２０３間で電子チケット情報を転送する処理例を示すシーケンス図であり、図１７（Ａ）から１７（Ｇ）は同処理において転送元であるユーザ携帯端末装置２０３の表示部７１０に表示される一連のユーザインターフェイス画面例を示す図である。なお、２つのユーザ携帯端末装置２０３を区別するため転送元となるユーザ携帯端末装置２０３をユーザ携帯端末装置Ａ，転送先となるユーザ携帯端末装置２０３をユーザ携帯端末装置Ｂと呼ぶものとする。
【０１３５】
まず、ユーザ携帯端末装置Ａにおいて、転送対象となるチケットに対応する電子チケット情報の選択、転送先となるユーザ若しくはユーザ携帯端末装置の指定が行われる（Ｓ１６０１）。図１７（Ａ）から図１７（Ｇ）は同処理において転送元であるユーザ携帯端末装置２０３の表示部７１０に表示される一連のユーザインターフェイス画面例を示す図である。
【０１３６】
図１７（Ａ）は、アプリが起動した場合に表示される初期画面であり、ここで「［３］チケット転送」がユーザに選択されたものとする。すると、表示部７１０に示される画面は購入したチケットの一覧から転送対象を選択することを促すユーザインターフェイス画面（図１７（Ｂ））に遷移する。
【０１３７】
図１７（Ｂ）に示す画面において電子チケット情報の選択が行われると、図１７（Ｃ）に示すユーザインターフェイス画面に遷移する。図１７（Ｃ）に示す画面では、選択されたチケットに関する情報が表示されると共に、確認を促すための［ＯＫ］ボタンが示される。このボタンがユーザにより活性化されると、図１７（Ｄ）に示す画面に遷移する。
【０１３８】
図１７（Ｄ）に示す画面では、転送先ユーザの指定のため転送先ユーザのユーザ番号の入力が促される。そして確認を促すための［ＯＫ］ボタンが示されており、入力終了後このボタンがユーザにより活性化されると、図１７（Ｅ）に示す画面に遷移する。
【０１３９】
図１７（Ｅ）に示す画面は転送先の確認をユーザに促す画面である。そして動画面においても確認を促すための［ＯＫ］ボタンが示されており、入力終了後このボタンがユーザにより活性化されると、図１７（Ｆ）に示す画面に遷移する。
【０１４０】
図１７（Ｆ）に示す画面では、転送元ユーザの認証のため転送元ユーザの暗証番号の入力が促される。入力終了後このボタンがユーザにより活性化されると、転送対象となる電子チケット情報若しくは電子チケット情報を生成するための情報、転送先として指定されたユーザを特定する情報がユーザ携帯端末装置Ａから電子チケット管理装置２０２に通信網２０１を介して送信される（Ｓ１６０２）。
【０１４１】
電子チケット管理装置２０２では、受け取ったこれら情報を電子チケット情報転送部３１０が転送ＤＢ部３１１に記憶させる（Ｓ１６０３）。そしてユーザ携帯端末装置Ａと電子チケット管理装置２０２との間の転送処理が終了したことをユーザ携帯端末装置Ａに通知する（Ｓ１６０４）。図１７（Ｇ）に示す画面はユーザ携帯端末装置Ａと電子チケット管理装置２０２との間の転送処理が終了したことをユーザに通知する画面である。但し、この時点では電子チケット情報はユーザ携帯端末装置Ｂまで転送されていない。
【０１４２】
つぎに、この転送完了通知（Ｓ１６０４）を受け取ったユーザ携帯端末装置Ａは転送対象とした電子チケット情報を自己のアプリ専用記憶領域７０５から削除する（Ｓ１６０５）。なお、チケットを削除するタイミングは、この転送完了通知（Ｓ１６０４）を受け取った時点に限る必要はなく、その他のタイミング、たとえばその電子チケット情報がユーザ携帯端末装置Ｂに格納されたことを通知された時点、としてもよい。
【０１４３】
つぎに、電子チケット管理装置２０２からユーザ携帯端末装置Ｂに前記の電子チケット情報が送信される処理について述べる。
【０１４４】
まず、ユーザ携帯端末装置Ｂが何らかのアクセスを電子チケット管理装置２０２に行う（Ｓ１６０６）。このアクセスはいずれの目的によるものであってもよく、たとえば新たなチケットの購入申込み、別のチケットに関する転送要求などである。
【０１４５】
電子チケット管理装置２０２は、ユーザ携帯端末装置Ｂからのアクセスを検知すると、転送ＤＢ部３１１を参照して、ユーザ携帯端末装置Ｂに転送すべき電子チケット情報を有していると判断し、ユーザ携帯端末装置Ｂに転送する電子チケットがあることを通知する（Ｓ１６０７）。この通知に応答してユーザが転送チケットを受け取る旨を電子チケット管理装置２０２に転送すべき電子チケット情報の送信を要求する（Ｓ１６０８）。この送信の要求を受け取った電子チケット管理装置２０２は、ユーザ携帯端末装置Ｂに電子チケット情報を送信する（Ｓ１６０９）。ユーザ携帯端末装置Ｂは受け取った電子チケット情報をそのアプリ専用記憶領域７０５に格納して、記憶する（Ｓ１６１０）。この電子チケット情報は電子チケット管理装置から購入したものと何ら異なることはなく、他の電子チケット情報と同様の操作により、入場のチェック処理を受けたり、さらに転送の対象とすることも可能となる。
【０１４６】
以上で、電子チケット情報の転送処理が完了する。
なお、上記転送処理は、ユーザ携帯端末装置Ｂへの電子チケット情報の送信がＰＵＬＬ型による場合の説明であり、本実施の形態でＰＵＳＨ型の送信を行う場合は、ステップ１６０６からステップ１６０８を省略してステップ１６０９，ステップ１６１０が実行されるようにしても良い。
【０１４７】
［４．本システムの利点］
本システムでは、画像データに比べて比較的小さいデータ量である電子チケット情報を電子チケット管理装置２０２からユーザ携帯端末装置２０３へ送信するため、通信リソースの消費を小さくでき、ひいては電子チケット管理装置２０２、ユーザ携帯端末装置２０３の送受信処理の負担を提言させることが可能となる。
【０１４８】
電子チケット情報は、電子チケット情報を扱う電子チケット管理部７０２（アプリ）に対して排他的に設定されているアプリ専用記憶領域７０５にのみ格納されるので、暗号化処理などのセキュリティのための特別の処理を施すことなく、電子チケット情報の複製、改ざんなどの不当・不正な行為の防止を図ることができる。
【０１４９】
ユーザ携帯端末装置２０３は、電子チケット管理装置２０２に接続することなく、電子チケット情報を電子チケットチェック装置２０４に提供し、電子チケットチェック装置２０４に電子チケット情報の照会を求めることなく電子チケットの判定を行うことができるので、通信網で接続できない場所、たとえば携帯電話の電場が届かない建物内部、地下構築物内部、高速で移動する移動物内部などでも、電子チケットの提供、判定処理が可能である。
【０１５０】
また、電子チケット情報の複製を行わせない環境下にもかかわらず、電子チケット情報の転送を可能とするシステムとすることにより、あるユーザが代表して複数の電子チケットを一括して購入し、その複数の電子チケットに対応する電子チケット情報をそのユーザのユーザ携帯端末装置２０３に格納した後、任意の時点で電子チケット管理装置２０２を経由して他のユーザのユーザ携帯端末装置２−３へ転送することができる。これにより、ユーザは事前に他のユーザへ電子チケットを渡すことができるので、必ずしも事前に待ち合わせて一緒に会場に入場する必要がなくなる。また、電子チケットの転送は必ず電子チケット管理装置２０２を経由するので、チケット管理業者は、電子チケットの流通を管理することが可能となる。また、電子チケット管理装置２０２を介して転送を管理することにより、転送を悪用した不正な電子チケット情報の複製を防止することが可能である。
【０１５１】
【発明の効果】
本発明によれば、比較的小さなデータ容量である電子チケット情報を用いることにより、通信リソースの消費を小さくすることが可能な電子チケットを扱うシステムを提供することができる。
【０１５２】
本発明によれば、排他的に設定されたアプリ専用記憶領域に電子チケット情報を格納させるため、特別のセキュリティ手段を別途適用することなく、電子チケット情報の複製、改ざんなどの不当・不正な行為の防止を図ることができる。
【図面の簡単な説明】
【図１】本発明の実施の形態によって実現されるビジネスモデルの一態様を説明するための図である。
【図２】電子チケットシステムの構成例を示すブロック図である。
【図３】電子チケット管理装置の構成例を示すブロック図である。
【図４】ユーザ登録ＤＢ部に蓄積されるデータの構成例を示す図である。
【図５】チケット情報ＤＢ部に蓄積されるデータの構成例を示す図である。
【図６】転送ＤＢ部に蓄積されるデータの構成例を示す図である。
【図７】ユーザ携帯端末装置の構成例を示すブロック図である。
【図８】電子チケット管理部の機能ブロック図の一例を示す図である。
【図９】図９（Ａ）は、ユーザ情報のデータ構成例を示す図であり、図９（Ｂ）は、電子チケット情報のデータ構成例を示す図であり、図９（Ｃ）は、電子チケット情報の別のデータ構成例を示す図である。
【図１０】電子チケットチェック装置の構成例を示すブロック図である。
【図１１】アプリのダウンロード及び電子チケットの購入処理におけるシーケンス図である。
【図１２】図１２（Ａ）から（Ｇ）は、一連のユーザインターフェイス画面例を示す図である。
【図１３】電子チケット情報を電子チケットチェック装置に提供する処理例を示すシーケンス図である。
【図１４】図１４（Ａ）から（Ｅ）は、一連のユーザインターフェイス画面例を示す図である。
【図１５】図１５（Ａ）から（Ｆ）は、電子チケット情報を削除するためのユーザインターフェイス画面例を示す図である。
【図１６】２つのユーザ携帯端末装置間で電子チケット情報を転送する処理例を示すシーケンス図である。
【図１７】図１７（Ａ）から１７（Ｇ）は一連のユーザインターフェイス画面例を示す図である。
【符号の説明】
２０１　…　通信網
２０２　…　電子チケット管理装置
２０３　…　ユーザ携帯端末装置
２０４　…　電子チケットチェック装置
３０２　…　ユーザ登録部
３０４　…　アプリ送信部
３０５　…　チケット情報提供部
３０７　…　購入申込受付部
３０８　…　購入決定処理部
３０９　…　電子チケット情報生成・提供部
３１０　…　電子チケット転送部
７０２　…　電子チケット管理部
７０４　…　記憶部
７０５　…　アプリ専用記憶領域
７１０　…　表示部
【図１】
2004030063.tif 000003
【図２】
2004030063.tif 000004
【図３】
2004030063.tif 000005
【図４】
2004030063.tif 000006
【図５】
2004030063.tif 000007
【図６】
2004030063.tif 000008
【図７】
2004030063.tif 000009
【図８】
2004030063.tif 000010
【図９】
2004030063.tif 000011
【図１０】
2004030063.tif 000012
【図１１】
2004030063.tif 000013
【図１２】
2004030063.tif 000014
【図１３】
2004030063.tif 000015
【図１４】
2004030063.tif 000016
【図１５】
2004030063.tif 000017
【図１６】
2004030063.tif 000018
【図１７】
2004030063.tif 000019